(57)【特許請求の範囲】
【請求項１】
サンスクリーン化粧料の皮膚への塗布状態を判定する方法であって、皮膚に塗布するサンスクリーン化粧料が吸収する波長領域の紫外線を、皮膚に照射しながら皮膚の画像を撮影し、その撮影画像からサンスクリーン化粧料の塗布状態を判定するサンスクリーン化粧料の塗布状態判定方法。
【請求項２】
皮膚に照射する波長領域の紫外線をカットして、可視光による撮影を行うことを特徴とする請求項１に記載のサンスクリーン化粧料の塗布状態判定方法。
【請求項３】
皮膚から反射した紫外線による撮影を行うことを特徴とする請求項１に記載のサンスクリーン化粧料の塗布状態判定方法。
【請求項４】
洗浄剤によるサンスクリーン化粧料の洗浄性を判定する方法であって、サンスクリーン化粧料を塗布した皮膚を洗浄剤で洗浄した後、皮膚に塗布したサンスクリーン化粧料が吸収する波長領域の紫外線を、皮膚に照射しながら皮膚の画像を撮影し、その撮影画像から皮膚上のサンスクリーン化粧料の洗浄残を特定してサンスクリーン化粧料の洗浄性を判定するサンスクリーン化粧料の洗浄性判定方法。
【請求項５】
皮膚に照射する波長領域の紫外線をカットして、可視光による撮影を行うことを特徴とする請求項４に記載のサンスクリーン化粧料の洗浄性判定方法。
【請求項６】
皮膚から反射した紫外線による撮影を行うことを特徴とする請求項４に記載のサンスクリーン化粧料の洗浄性判定方法。
【発明の詳細な説明】
【技術分野】
【０００１】
この発明は、紫外線吸収剤を含んだサンスクリーン化粧料が、皮膚に塗布されているかどうかを判定するための方法及び塗布したサンスクリーン化粧料が洗浄剤によって落ちているかを判定する方法と、サンスクリーン化粧料の塗布状態判定装置に関する。
【背景技術】
【０００２】
顔や体の肌を、日焼けから守るためにサンスクリーン化粧料を塗ることがある。サンスクリーン化粧料には、紫外線を吸収する成分を含んでいる。この紫外線吸収剤が皮膚表面で紫外線を吸収し、皮膚の内部に紫外線が到達しないようにして、日焼けを防止している。
【特許文献１】特開２００２−１１６１９７号公報
【発明の開示】
【発明が解決しようとする課題】
【０００３】
上記のようなサンスクリーン化粧料は、日焼けを防ぐために必要であるが、必要以上に長時間つけておくことは、皮膚にとっては負担になると言われている。
そこで、サンスクリーン化粧料としては、海やプールなどで、水によって簡単にとれてしまわないことが必要であるとともに、洗浄剤などを用いれば、落としたいときにきちんと落とすことができるという洗浄性も求められている。
このように、洗浄性の優れたサンスクリーン化粧料を開発するために、開発現場では、肌に塗布したサンスクリーン化粧料が、所定の洗浄によって落とすことができたのかどうかを判定する必要がある。
しかし、サンスクリーン化粧料は、目視では、判定できないという問題があった。
【０００４】
この発明の目的は、サンスクリーン化粧料の皮膚上での塗布状態や、洗浄剤によってどの程度落ちたかを判定する方法と、塗布状態判定装置を提供することである。
【課題を解決するための手段】
【０００５】
第１の発明は、サンスクリーン化粧料の皮膚への塗布状態を判定する方法であって、皮膚に塗布するサンスクリーン化粧料が吸収する波長領域の紫外線を、皮膚に照射しながら皮膚の画像を撮影し、その撮影画像からサンスクリーン化粧料の塗布状態を判定する点に特徴を有する。
【０００６】
第２の発明は、上記第１の発明を前提とし、皮膚に照射する波長領域の紫外線をカットして、可視光による撮影を行う点に特徴を有する。
第３の発明は、上記第１の発明を前提とし、皮膚から反射した紫外線による撮影を行う点に特徴を有する。
第４の発明は、洗浄剤によるサンスクリーン化粧料の洗浄性を判定する方法であって、サンスクリーン化粧料を塗布した皮膚を洗浄剤で洗浄した後、皮膚に塗布したサンスクリーン化粧料が吸収する波長領域の紫外線を、皮膚に照射しながら皮膚の画像を撮影し、その撮影画像から皮膚上のサンスクリーン化粧料の洗浄残を特定してサンスクリーン化粧料の洗浄性を判定する点に特徴を有する。
【０００７】
第５の発明は、上記は第４の発明を前提とし、皮膚に照射する波長領域の紫外線をカットして、可視光による撮影を行う点に特徴を有する。
第６の発明は、上記第４の発明を前提とし、皮膚から反射した紫外線による撮影を行う点に特徴を有する。
【０００９】
なお、上記撮影とは、撮影対象面の光を取り込むことで、画像取り込み手段が画像を取り込むことである。そして、取り込んだ画像を出力可能にすることまでを含む。
【発明の効果】
【００１０】
第１〜第６の発明によれば、ほぼ透明で、皮膚に塗布したことが分かり難いサンスクリーン化粧料を可視化して、皮膚上のサンスクリーン化粧料の状態を判定することができるようになる。可視化されたサンスクリーン化粧料の塗布状態から、そのサンスクリーン化粧料の皮膚上での延び、密着性などを評価することもできる。
特に、第４の発明によれば、洗浄剤によるサンスクリーン化粧料の洗浄性を判定することができるようになる。これによって、洗浄性の優れたサンスクリーン化粧料や、洗浄剤の洗浄機能の評価ができるようになる。
【００１１】
第２、第５の発明によれば、撮影画像に紫外線が入り込まないので、画像が青っぽくならず、紫外線が含まれたときと比べて、画像の明度差や濃度差が分かりやすくなる。
また、可視光による撮影ができるので、紫外線カメラではなく、一般的なカメラを用いることができる。
第３、第６の発明によれば、紫外線カットフィルターを用いる必要がない。
【発明を実施するための最良の形態】
【００１３】
図１〜図６にこの発明の一実施形態を示す。
図１に示すのは、この発明のサンスクリーン化粧料の塗布状態を判定する方法を実施するための、サンスクリーン化粧料の塗布状態判定装置の構成図である。ここでは、人の腕にサンスクリーン化粧料を塗布し、上記塗布状態判定装置を用いてサンスクリーン化粧料の塗布状態を判定する方法を説明する。
そして、サンスクリーン化粧料を塗布した腕を挿入するための箱状の測定部１には、腕を挿入するための挿入口２を形成している。この挿入口２の開口は、腕を挿入した状態で測定部１の内部に外部の光が入らないような構造にしている。
【００１４】
また、上記測定部１の隣には紫外線の光源３を設け、この光源３の光を測定部１内に導いて、照射部４，４から被写体に照射するようにしている。
さらに、測定部１の天井には、この発明の画像取り込み手段であるデジタルカメラ５を備え、そのレンズ６には紫外線をカットする紫外線カットフィルター７を取り付けている。
上記光源３は、例えばキセノンランプなどで、放射する光の波長を調整する機構を備え、必要な波長領域の紫外線だけ放射することができるようにしている。
また、上記デジタルカメラ５は、可視光撮影に用いられる一般的なカメラである。
【００１５】
上記のようなサンスクリーン化粧料の塗布状態判定装置を用意したら、塗布状態を判定したいサンスクリーン化粧料を、皮膚表面８に塗布する。ここで、皮膚表面に塗布するものとして、すでに述べてきたサンスクリーン化粧料の代わりに、簡易的に塗布状態を判定するため、紫外線吸収剤を油分に溶解させた試料を用いてもよい。図２では、以下の実施例で用いる３種類の紫外線吸収剤９，１０，１１を油分に溶解させて塗布した状態を示している。そして、ここで、塗布する各紫外線吸収剤は、それぞれ紫外線の吸収領域が異なるものである。それぞれの紫外線吸収剤９，１０，１１の吸収波長領域を図３に示している。なお、図３のグラフは、紫外線吸収剤が吸収する波長領域を模式的に示したものであり、吸光度の値は正確ではない。
【００１６】
すなわち、紫外線吸収剤９は、波長が３２０（ｎｍ）〜４００（ｎｍ）の、いわゆるＵＶＡ（ultraviolet A）領域の紫外線を吸収する紫外線吸収剤であり、代表的な紫外線吸収剤としては４−ｔｅｒｔ−ブチル−４’−メトキシベンゾイルメタン（パルソールＡ）を挙げることができる。紫外線吸収剤１０は、波長が３２０（ｎｍ）以下の、いわゆるＵＶＢ（ultraviolet B）領域の紫外線を吸収する紫外線吸収剤で、代表的な紫外線吸収剤としてはパラアミノ安息香酸を挙げることができる。また、紫外線吸収剤１１は、上記ＵＶＡ領域およびＵＶＢ領域の両方の紫外線を吸収する紫外線吸収剤であり、例えば、酸化亜鉛などである。
そして、これら３種の紫外線吸収剤９，１０，１１は、どれもほぼ透明であり、目視では、塗布されていることを判定することは難しい。
この発明の塗布状態判定方法を用いれば、上記透明な紫外線吸収剤９，１０，１１を可視化して、それが皮膚表面８に塗布されているかどうかを判定できるようになる。
【実施例１】
【００１７】
図４（ａ），（ｂ）に、腕に塗布された紫外線吸収剤９，１０，１１のうち、上記ＵＶＡを吸収する紫外線吸収剤９，１１の塗布状態を判定する実施例１を示す。
まず、上記紫外線吸収剤を塗布した腕を挿入口２から測定部１に挿入する。
そして、光源３から、波長３２０（ｎｍ）〜４００（ｎｍ）、すなわちＵＶＡである紫外線Ａを上記紫外線吸収剤９，１０，１１を塗布した部分に照射し、カメラ５によって撮影する。さらに、この撮影画像を図示しないモニタに表示させて観察し、紫外線吸収剤９，１１の塗布状態を目視で判定する。
なお、上記紫外線Ａを照射したときの光の状態を模式的に示したのが、図４（ａ）であり、撮影画像の模式図が図４（ｂ）である。
【００１８】
上記したように、紫外線吸収剤９および紫外線吸収剤１１は、ＵＶＡを吸収する物質なので、図４（ａ）に示すように、皮膚表面８に入射する紫外線Ａは、紫外線吸収剤９，１１に吸収される。
一方、上記紫外線吸収剤１０は、上記ＵＶＢのみを吸収するものなので、紫外線Ａを透過する。紫外線吸収剤１０を透過した紫外線Ａの一部は、皮膚表面８で反射して反射光Ａ’となるとともに、一部は、皮膚の内部まで到達する。
紫外線Ａが真皮まで到達すると、真皮を構成するコラーゲンやエラスチンは、蛍光ｆを発する。これは、コラーゲンやエラスチンには、紫外線を照射されると蛍光を発するという性質があるためである。
さらに、紫外線吸収剤が塗布されていない部分からも、上記紫外線吸収剤１０を塗布した部分と同様に、反射光Ａ’と蛍光ｆとが発せられる。
【００１９】
従って、上記カメラ５による撮影は、上記図４（ａ）中、皮膚表面８から上方に向かう矢印で示した反射光Ａ’および蛍光ｆによる撮影ということになる。ただし、カメラ５には、紫外線カットフィルター７を取り付けているので、紫外線はカットされ、カメラ５には、上記反射光Ａ’は取り込まれない。つまり、撮影画像として、蛍光ｆのみを見ることになる。
そして、上記のようにこの蛍光ｆは、紫外線Ａが、皮膚表面８から内部にまで達している部分からのみ発せられるものなのである。従って、図４（ｂ）に示すように、紫外線吸収剤９および紫外線吸収剤１１を塗布した部分は、紫外線Ａが真皮に到達しないので、蛍光ｆを発しない。そのため、これらの部分は、他の部分より暗くなる。これにより、紫外線吸収剤９，１１が塗布されていることを確認することができる。
【００２０】
つまり、上記紫外線吸収剤９、１１に、この発明の紫外線吸収剤が吸収する波長領域の紫外線である紫外線Ａを照射することによって、可視光では透明な紫外線吸収剤９と紫外線吸収剤１１とを可視化して、塗布状態を判定できるようになる。
なお、上記紫外線吸収剤９，１１が、紫外線Ａを完全に吸収するわけではないし、紫外線吸収剤の塗布表面での反射もあるので、上記紫外線吸収剤９，１１を塗布した部分からも、反射光Ａ’や蛍光ｆが発せられることがある。ただし、他の部分との明度差により、塗布状態を判定することができる。
【００２１】
この実施例１では、紫外線をカットする紫外線カットフィルター７を用いているが、紫外線カットフィルター７を用いないで、カメラ５が皮膚表面８側からの光全部を取り込んで画像撮影を行うようにしてもよい。この場合には、紫外線Ａの反射光Ａ’も取り込まれるので、全体に明るい青っぽい画像になる。ただし、紫外線撮影を行うためには、カメラ５が紫外線用カメラでなければならない。具体的には、紫外線用レンズや、紫外線に感度をもったＣＣＤ（charge coupled device）が必要になる。このような紫外線カメラなどは、通常のカメラより高価であるが、上記のように、紫外線カットフィルター７を用いれば、カメラ５として可視光による撮影ができる通常のデジタルカメラを用いることができるため、カメラのコストを抑えることができる。
また、紫外線を取り込んだ画像は、全体に青っぽくなって、明度の差が分かり難くなることもあるので、紫外線カットフィルターを用いて、可視光の撮影を行った方が、判定はし易い。
【実施例２】
【００２２】
次に、上記ＵＶＢを吸収する紫外線吸収剤１０，１１を可視化する実施例２を説明する。なお、ここで用いる塗布状態評価装置は、図１に示す実施例１の装置と同じである。従って、以下の説明にも、図１を用いる。
ただし、この実施例２では、光源３を制御して、腕の表面に照射する紫外線の波長を２８０（ｎｍ）〜３２０（ｎｍ）に調整する。
上記波長２８０（ｎｍ）〜３２０（ｎｍ）のいわゆるＵＶＢである紫外線Ｂを照射したときの模式図を図５（ａ），（ｂ）に示している。
【００２３】
図５（ａ）に示すように、紫外線吸収剤９は、紫外線Ｂを吸収しないので、その塗布部分では、入射した紫外線Ｂの一部が皮膚表面８で反射して反射光Ｂ’を発するとともに、一部は真皮にまで達し、蛍光ｆを発する。
この状況は、いずれの紫外線吸収剤も塗布していない部分と同じである。
これに対して、紫外線吸収剤１０，１１は、上記紫外線Ｂを吸収するので、この部分では、反射光も蛍光も発しない。
また、ここでも、上記紫外線カットフィルター７が紫外線Ｂの反射光Ｂ’をカットするので、カメラ５は蛍光ｆの撮影を行う。従って、このときの撮影画像は、図５（ｂ）に示すように、蛍光を発していない部分、すなわち、紫外線吸収剤１０と紫外線吸収剤１１を塗布している部分のみが、他と比べて暗くなり、紫外線吸収剤が塗布されていることを確認できる。
【００２４】
なお、この実施例２でも、紫外線Ｂの全てが紫外線吸収剤１０，１１で吸収できずに真皮にまで達して蛍光ｆが発せられたり、紫外線吸収剤１０，１１の塗布表面で反射したりすることもある。そのため、紫外線吸収剤１０，１１が塗布された部分からの光がカメラ５に取り込まれることもあるが、他の部分と比べてその光量が少ないので、塗布状態を判定することができる。
また、カメラ５として紫外線カメラを用いれば、紫外線カットフィルター７を用いなくても、紫外線吸収剤１０，１１の塗布状態を可視化して判定することができる。上記の実施例においては、各紫外線吸収剤をシリコーン系油分に溶解して使用したが、上記各紫外線吸収剤を含有するサンスクリーン化粧料を用いた場合も同様の結果であった。
【実施例３】
【００２５】
図６（ａ），（ｂ）に示す実施例３は、光源３から発射する光の波長を、２８０（ｎｍ）〜４００（ｎｍ）の紫外線とした点が上記実施例１および２と異なるが、その他の構成は、上記実施例１および２と同様である。
すなわち、光源３を制御して、上記実施例１で照射した紫外線Ａと、実施例２で照射した紫外線Ｂの両方の波長領域を含む紫外線を照射する。
そのときの光の状態を模式的に示したのが、図６（ａ）で、撮影画像の模式図が図６（ｂ）である。
【００２６】
図６（ａ）では、皮膚表面８に向かって、紫外線Ａと紫外線Ｂの両方を照射している状態を示している。実際には、両方の波長領域を含んだ紫外線を照射するのであって、波長の異なる２種類の光線を照射しているのではないが、ここでは、照射光を、２種類の紫外線で構成していると見なして説明する。
図６（ａ）に示すように、紫外線吸収剤９は、紫外線Ａのみを吸収するので、この部分では、紫外線Ｂの反射光Ｂ’と、紫外線Ｂが真皮に達したことによる蛍光ｆとが発せられる。
上記紫外線吸収剤１０は、紫外線Ｂのみを吸収するので、紫外線Ａの反射光Ａ’と、紫外線Ａが真皮に達したことによる蛍光ｆとが発せられる。
また、上記紫外線吸収剤１１は、紫外線Ａも紫外線Ｂも吸収するので、皮膚表面８からの反射光も、蛍光も発せられない。
さらに、紫外線吸収剤を塗布していない部分では、皮膚表面８で反射光Ａ’および反射光Ｂ’が発せられるとともに、両紫外線Ａ，Ｂに基づく蛍光ｆが発せられる。
【００２７】
そして、この実施例３でも、カメラ５には紫外線カットフィルター７を取り付けているので、カメラ５には、蛍光ｆのみが取り込まれることになる。そして、この蛍光ｆの光量は、真皮まで達した紫外線量に対応するため、紫外線の吸収量が少ない部分ほど明るくなる。
従って、撮影画像は、図６（ｂ）に示すように、紫外線吸収剤を塗布していない部分に比べて、紫外線吸収剤９、１０を塗布している部分の方がやや暗くなり、紫外線吸収剤１１の部分がさらに暗くなる。この撮影画像の明るさによって紫外線吸収剤の塗布状態を判定することができる。
なお、この実施例３においても、カメラ５として紫外線カメラを用いれば、紫外線カットフィルター７を用いなくても、画像撮影をして紫外線吸収剤の塗布状態を判定することができる。
【００２８】
上記実施例１〜３では、撮影画像を目視観察して、紫外線吸収剤またはサンスクリーン化粧料の塗布状態を判定するようにしているが、カメラ５をパソコンなどの画像解析手段に接続し、撮影画像を解析して塗布状態を判定するようにしても良い。
例えば、画像の明るさを測定し、予め設定した明度以下の部分を紫外線吸収剤またはサンスクリーン化粧料が塗布されている部分と判断することができる。
また、入射紫外線の波長と、画像とを対比することによって、塗布されている紫外線吸収剤またはサンスクリーン化粧料の吸収波長を自動的に特定することもできる。例えば、ＵＶＡを照射したときには暗い部分が無かったのに、ＵＶＢを照射したときには暗い部分があったならば、ＵＶＢのみを吸収する紫外線吸収剤またはサンスクリーン化粧料が塗布されていることを確認することができる。
【００２９】
以上のようにサンスクリーン化粧料の塗布状態が判定できれば、サンスクリーン化粧料の皮膚への密着性を評価することもできる。
また、上記実施例１〜３のように、各サンスクリーン化粧料が吸収する波長の紫外線を照射することによって、サンスクリーン化粧料を可視化して、塗布状態を判定することができるということは、反対に、サンスクリーン化粧料がついていないことを判定できるということでもある。
従って、サンスクリーンを塗布した肌を洗浄した後に、上記のような測定を行えば、洗浄によってサンスクリーン化粧料が落ちたかどうか、洗浄残があるかどうかを判定することができる。
【００３０】
つまり、上記実施例１〜３の手順を行う前に、皮膚に塗布したサンスクリーン化粧料を洗浄する手順を加えたのが、この発明のサンスクリーン化粧料の洗浄性判定方法である。
上記サンスクリーン化粧料の洗浄性判定方法では、洗浄してもなお皮膚上に残った洗浄残のサンスクリーン化粧料を確認できるため、サンスクリーン化粧料の洗浄性を判定することができる。また、洗浄に用いた洗浄剤の洗浄機能を判定することもできる。
そして、この洗浄性判定法方は、洗浄し易いサンスクリーン化粧料、すなわち、洗浄性の高いサンスクリーン化粧料の開発や、サンスクリーン化粧料用の洗浄剤の開発などに利用できる。
【図面の簡単な説明】
【００３１】
【図１】この発明の実施形態で用いるサンスクリーン化粧料の塗布状態判定装置の構成図である。
【図２】実施形態の判定方法の説明図で、皮膚表面にサンスクリーン化粧料を塗布した状態を示した平面図である。
【図３】実施形態で用いるサンスクリーン化粧料の吸収波長領域を示したグラフである。
【図４（ａ）】実施例１における光の状態を示す模式図である。
【図４（ｂ）】実施例１の撮影画像の模式図である。
【図５（ａ）】実施例２における光の状態を示す模式図である。
【図５（ｂ）】実施例２の撮影画像の模式図である。
【図６（ａ）】実施例３における光の状態を示す模式図である。
【図６（ｂ）】実施例３の撮影画像の模式図である。
【符号の説明】
【００３２】
３                光源
５                カメラ
７                紫外線カットフィルター
９，１０，１１    紫外線吸収剤
【図１】
0004707332.tif 000002
【図２】
0004707332.tif 000003
【図３】
0004707332.tif 000004
【図４（ａ）】
0004707332.tif 000005
【図４（ｂ）】
0004707332.tif 000006
【図５（ａ）】
0004707332.tif 000007
【図５（ｂ）】
0004707332.tif 000008
【図６（ａ）】
0004707332.tif 000009
【図６（ｂ）】
0004707332.tif 000010